(57)【要約】【課題】  必要なミッドレットの動的なダウンロードを受けて該当のサービスを行える動的ジャバプッシュ制御装置及びその方法を提供しようとする。【解決手段】  互いに異なる端末機１００、２００間の通信を無線で連結するネットワーク連結部１４０、２４０と、外部からのプッシュ連結要請がある場合、該当のミッドレットがプッシュ登録部１２０にないと、プッシュ連結を要請した相手方に通信連結のためのミッドレットを要請してダウンロードを受けるプッシュ制御部１３０と、該プッシュ制御部１３０からミッドレットの移譲を受けることで、該ミッドレットを登録するプッシュ登録部１２０と、多様なミッドレットを格納して駆動させるミッドレット部１１０と、を含んで動的ジャバプッシュ制御装置を構成する。【選択図】  図１
2005025764.tif 000002
【特許請求の範囲】
【請求項１】
互いに異なる端末機間の通信を無線で連結するネットワーク連結部と、
外部からのプッシュ連結要請がある場合、該当のミッドレットがプッシュ登録部にないと、プッシュ連結を要請した相手方に通信連結のためのミッドレットを要請してダウンロードを受けるプッシュ制御部と、
該プッシュ制御部からミッドレットの移譲を受けることで、該ミッドレットを登録するプッシュ登録部と、
多様なミッドレットを格納して駆動させるミッドレット部と、を含んで構成されることを特徴とする動的ジャバプッシュ制御装置。
【請求項２】
前記プッシュ連結要請は、
プッシュメッセージヘッダーの端子情報などにより確認されることを特徴とする請求項１記載の動的ジャバプッシュ制御装置。
【請求項３】
前記該当のミッドレットは、
前記連結要請に対して連結を行うジャバ応用プログラムであることを特徴とする請求項１記載の動的ジャバプッシュ制御装置。
【請求項４】
前記プッシュ制御部は、
前記連結要請に対して連結を行うミッドレットがプッシュ登録部に登録されている場合、プッシュ連結に対する全ての権限をプッシュ登録部に移譲することを特徴とする請求項１記載の動的ジャバプッシュ制御装置。
【請求項５】
前記プッシュ制御部は、
プッシュ連結要請をした相手方からミッドレットのダウンロードを受けて、該ミットレットを前記ミッドレット部に格納させ、前記プッシュ登録部に登録させることを特徴とする請求項１記載の動的ジャバプッシュ制御装置。
【請求項６】
前記ミッドレット部は、
プッシュ登録部の制御によりミッドレットを駆動させることを特徴とする請求項１記載の動的ジャバプッシュ制御装置。
【請求項７】
前記プッシュ連結は、
端末機間或いは端末機とサーバ間で行われることを特徴とする請求項１記載の動的ジャバプッシュ制御装置。
【請求項８】
外部からプッシュ連結要請があるかを確認する段階と、
外部からのプッシュ連結要請に対し、要請されたプッシュ連結を行うミッドレットが登録されているかを確認する段階と、
該確認結果、該当のミッドレットが登録されていないと、連結相手に該当のミッドレットを要請してダウンロードを受ける段階と、
該ダウンロードされたミッドレットを登録して駆動させ、要請されたプッシュ連結を行う段階と、を行うことを特徴とする動的ジャバプッシュ制御方法。
【請求項９】
前記プッシュ連結要請は、
プッシュメッセージヘッダーの端子情報などにより確認されることを特徴とする請求項８記載の動的ジャバプッシュ制御方法。
【請求項１０】
前記プッシュ連結要請があるかを確認する段階は、
外部から連結要請があるかを確認する段階と、
該確認結果、外部からの連結要請があると、該当の連結要請がジャバプッシュ技術に関するプッシュ連結要請であるかを判断する段階と、を行うことを特徴とする請求項８記載の動的ジャバプッシュ制御方法。
【請求項１１】
前記該当のミッドレットは、
前記連結要請に対して連結を行うジャバ応用プログラムであることを特徴とする請求項８記載の動的ジャバプッシュ制御方法。
【請求項１２】
要請されたプッシュ連結を行うミッドレットが登録されているかを確認した結果、該当のミッドレットが登録されていると、ミッドレットを駆動させて、要請されたプッシュ連結を行う段階を更に行うことを特徴とする請求項８記載の動的ジャバプッシュ制御方法。
【請求項１３】
前記プッシュ連結は、
端末機間或いは端末機とサーバ間で行われることを特徴とする請求項８記載の動的ジャバプッシュ制御方法。
【請求項１４】
異なる端末機またはサーバと無線で通信する携帯端末機において、
外部からの連結要請を行うミッドレットの動的なダウンロードを受けて、前記連結要請に対して連結を行う動的ジャバプッシュ制御装置。
【請求項１５】
前記携帯端末機は、
外部との通信を無線で連結するネットワーク連結部と、
外部からのプッシュ連結要請がある場合、該当のミッドレットがプッシュ登録部にないと、プッシュ連結を要請した相手方に通信連結のためのミッドレットを要請してダウンロードを受けるプッシュ制御部と、
該プッシュ制御部からミッドレットの移譲を受けることで、該ミッドレットを登録するプッシュ登録部と、
多様なミッドレットを格納して駆動させるミッドレット部と、を含んで構成されることを特徴とする請求項１４記載の動的ジャバプッシュ制御装置。
【請求項１６】
前記プッシュ連結要請は、
プッシュメッセージヘッダーの端子情報などにより確認されることを特徴とする請求項１５記載の動的ジャバプッシュ制御装置。
【請求項１７】
前記該当のミッドレットは、
前記連結要請に対して連結を行うジャバ応用プログラムであることを特徴とする請求項１５記載の動的ジャバプッシュ制御装置。
【請求項１８】
前記プッシュ制御部は、
前記連結要請に対して連結を行うミッドレットがプッシュ登録部に登録されている場合、プッシュ連結に対する全ての権限をプッシュ登録部に移譲することを特徴とする請求項１５記載の動的ジャバプッシュ制御装置。
【請求項１９】
前記プッシュ制御部は、
プッシュ連結要請をした相手方からミッドレットのダウンロードを受けて、該ミッドレットを前記ミッドレット部に格納させ、前記プッシュ登録部に登録させることを特徴とする請求項１５記載の動的ジャバプッシュ制御装置。
【請求項２０】
前記ミッドレット部は、
プッシュ登録部の制御によりミッドレットを駆動させることを特徴とする請求項１５記載の動的ジャバプッシュ制御装置。
【請求項２１】
前記プッシュ連結は、
端末機間或いは端末機とサーバ間で行われることを特徴とする請求項１５記載の動的ジャバプッシュ制御装置。
【請求項２２】
異なる端末機またはサーバと無線で通信する携帯端末機において、
外部からの連結要請を行うミッドレットの動的なダウンロードを受けて、前記連結要請に対して連結を行う動的ジャバプッシュ制御方法。
【請求項２３】
前記ミッドレットは、
連結を要請した相手方からダウンロードを受けることを特徴とする請求項２２記載の動的ジャバプッシュ制御方法。
【請求項２４】
前記連結要請は、
ジャバプッシュ技術に関するプッシュ連結要請であることを特徴とする請求項２２記載の動的ジャバプッシュ制御方法。
【請求項２５】
ネットワーク連結部を通して外部からの連結要請を受信する段階と、
プッシュ制御部により前記受信された連結要請がプッシュ連結要請であるかを判断する段階と、
該判断結果、プッシュ連結要請であると、プッシュ制御部により該当のミッドレットがプッシュ登録部に登録されているかを確認する段階と、
該確認結果、登録されていないと、連結を要請した相手方の端末或いはサーバに該当のミッドレットのダウンロードを要請する段階と、
プッシュ制御部が相手方の端末或いはサーバから該当のミッドレットのダウンロードを受け、該ミッドレットをミッドレット部に登録し、プッシュ登録部に登録する段階と、
プッシュ登録部が前記プッシュ制御部からプッシュ連結に対する権限の移譲を受け、ミッドレット部を制御して該当のミッドレットを駆動させることでプッシュ連結を行う段階と、を行うことを特徴とする動的ジャバプッシュ制御方法。
【請求項２６】
前記プッシュ制御部は、
プッシュメッセージヘッダーの端子情報などを確認することで、前記受信された連結要請がプッシュ連結要請であるかを判断することを特徴とする請求項２５記載の動的ジャバプッシュ制御方法。
【請求項２７】
前記該当のミッドレットは、
前記連結要請に対して連結を行うジャバ応用プログラムであることを特徴とする請求項２５記載の動的ジャバプッシュ制御方法。
【発明の詳細な説明】
【技術分野】
【０００１】
本発明は、ジャバプッシュ（ｊａｖａ（登録商標）  ｐｕｓｈ）技術に係るもので、詳しくは、必要なミッドレット（ｍｉｄｌｅｔ）の動的なダウンロードを受けて該当のサービスを行える動的ジャバプッシュ制御装置及びその方法に関するものである。
【背景技術】
【０００２】
ジャバ（ｊａｖａ（登録商標））は、米国のサンマイクロシステムズ（Ｓｕｎ  Ｍｉｃｒｏｓｙｓｔｅｍｓ）により開発されたオブジェクト指向型プログラミング言語（ｏｂｊｅｃｔ  ｏｒｉｅｎｔｅｄ  ｐｒｏｇｒａｍｍｉｎｇ  ｌａｎｇｕａｇｅ）である。前記ジャバは、Ｊ２ＳＥ（Ｊａｖａ（登録商標）  ２  Ｓｔａｎｄａｒｄ  Ｅｄｉｔｉｏｎ）、Ｊ２ＥＥ（Ｊａｖａ（登録商標）  ２  Ｅｎｔｅｒｐｒｉｓｅ  Ｅｄｉｔｉｏｎ）及びＪ２ＭＥ（Ｊａｖａ（登録商標）  ２  Ｍｉｃｒｏ  Ｅｄｉｔｉｏｎ）に大別されるが、これら中、前記Ｊ２ＭＥは、制限されたシステム環境、特に、移動通信環境に合わせて提供されるジャバプラットフォームをいう。
【０００３】
前記Ｊ２ＭＥは、ジャバプログラムであるミッドレットの実行と関連した核心的な部分を担当するＣＬＤＣ（Ｃｏｎｎｅｃｔｅｄ  Ｌｉｍｉｔｅｄ  Ｄｅｖｉｃｅ  Ｃｏｎｆｉｇｕｒａｔｉｏｎ）と、前記ミッドレットを構成し、画面に表現する部分に重点を置くＭＩＤＰ  （Ｍｏｂｉｌｅ  Ｉｎｆｏｒｍａｔｉｏｎ  Ｄｅｖｉｃｅ  Ｐｒｏｆｉｌｅ）と、から構成される。このとき、前記ミッドレットは、ダウンロードを受けて実行させるジャバプログラムであって、システムに格納されて外部からの連結要請を処理することができる。
【０００４】
又、前記ＭＩＤＰは、現在、２．０バージョンが配布されているが、このＭＩＤＰ２．０バージョンには、プッシュ登録器（ｐｕｓｈ  ｒｅｇｉｓｔｒｙ）というモジュールが属している。前記プッシュ登録器は、前記ミッドレットを登録して、外部からの要請があると、該当のミッドレットを自動に動作させる機能をする。
【０００５】
無線端末機を例に挙げると、図３に示したように、一つの端末機内に位置するモジュールは、ネットワーク連結部、プッシュ登録器及びミッドレットに区分される。一つの無線端末機から相手の無線端末機に通信要請をすると、相手方の端末機内に現在通信を要請するミッドレットと互いに通信できるミッドレットが存在するかを、相手の端末機の内部に設置されたプッシュ登録器に問い合わせる。該問い合わせを受けたプッシュ登録器は、通信しようとするミッドレットを発見すると、該当のミッドレットを動的に駆動させ、現在要請された端末機との連結情報を前記駆動されたミッドレットに移譲する。連結情報の移譲を受けたミッドレットは、その情報に基づいて新しい連結を試みて、その結果、二つの無線端末機内のジャバミッドレット間の実質的な通信が行われる。このような過程を、ＭＩＤＰ２．０におけるプッシュメカニズムという。
【発明の開示】
【発明が解決しようとする課題】
【０００６】
然るに、このような従来のプッシュ登録器を利用したジャバプッシュメカニズムは、ミッドレットの実行環境というジャバの基本的な長所を十分生かせず、前記プッシュメカニズムを使用するためには、事前にミッドレットがプッシュ登録器に登録されるべきであって、もし登録されていないと、該当のミッドレットが提供する機能を行うことができないため、必要なミッドレットを直に登録できないという不都合な点があった。
【０００７】
本発明は、このような従来の課題に鑑みてなされたもので、必要なミッドレットの動的なダウンロードを受けて該当のサービスを行える動的ジャバプッシュ制御装置及びその方法を提供することを目的とする。
【課題を解決するための手段】
【０００８】
このような目的を達成するため、本発明に係る動的ジャバプッシュ制御装置は、互いに異なる端末機間の通信を無線で連結するネットワーク連結部と、外部からのプッシュ連結要請がある場合、該当のミッドレットがプッシュ登録部にないと、プッシュ連結を要請した相手方に通信連結のためのミッドレットを要請してダウンロードを受けるプッシュ制御部と、該プッシュ制御部からミッドレットの移譲を受けることで、該ミッドレットを登録するプッシュ登録部と、多様なミッドレットを格納して駆動させるミッドレット部と、を含んで構成されることを特徴とする。
【０００９】
又、本発明に係る動的ジャバプッシュ制御方法は、外部からプッシュ連結要請があるかを確認する過程と、外部からのプッシュ連結要請に対し、要請されたプッシュ連結を行うミッドレットが登録されているかを確認する過程と、該確認結果、該当のミッドレットが登録されていないと、連結相手に該当のミッドレットを要請してダウンロードを受ける過程と、該ダウンロードされたミッドレットを登録して駆動させ、要請されたプッシュ連結を行う過程と、を行うことを特徴とする。
【００１０】
又、前記プッシュ制御部は、前記連結要請に対して連結を行うミッドレットがプッシュ登録部に登録されている場合、又はミッドレットのダウンロードを受けることで、該ミッドレットをプッシュ登録部に登録させた場合、プッシュ連結に対する全ての権限をプッシュ登録部に移譲することを特徴とする。
【００１１】
又、前記ミッドレット部は、前記プッシュ登録部の制御によりミッドレットを駆動させることを特徴とする。
【００１２】
又、前記プッシュ連結要請は、プッシュメッセージヘッダーの端子情報などにより確認されることを特徴とする
本発明による動的ジャバプッシュ制御装置は、互いに異なる端末機間の通信を無線で連結するネットワーク連結部と、外部からのプッシュ連結要請がある場合、該当のミッドレットがプッシュ登録部にないと、プッシュ連結を要請した相手方に通信連結のためのミッドレットを要請してダウンロードを受けるプッシュ制御部と、該プッシュ制御部からミッドレットの移譲を受けることで、該ミッドレットを登録するプッシュ登録部と、多様なミッドレットを格納して駆動させるミッドレット部と、を含んで構成されることを特徴とし、上記目的が達成される。
【００１３】
前記プッシュ連結要請は、プッシュメッセージヘッダーの端子情報などにより確認されることを特徴としてもよい。
【００１４】
前記該当のミッドレットは、前記連結要請に対して連結を行うジャバ応用プログラムであることを特徴としてもよい。
【００１５】
前記プッシュ制御部は、前記連結要請に対して連結を行うミッドレットがプッシュ登録部に登録されている場合、プッシュ連結に対する全ての権限をプッシュ登録部に移譲することを特徴としてもよい。
【００１６】
前記プッシュ制御部は、プッシュ連結要請をした相手方からミッドレットのダウンロードを受けて、該ミットレットを前記ミッドレット部に格納させ、前記プッシュ登録部に登録させることを特徴としてもよい。
【００１７】
前記ミッドレット部は、プッシュ登録部の制御によりミッドレットを駆動させることを特徴としてもよい。
【００１８】
前記プッシュ連結は、端末機間或いは端末機とサーバ間で行われることを特徴としてもよい。
【００１９】
本発明による方法は、外部からプッシュ連結要請があるかを確認する段階と、外部からのプッシュ連結要請に対し、要請されたプッシュ連結を行うミッドレットが登録されているかを確認する段階と、該確認結果、該当のミッドレットが登録されていないと、連結相手に該当のミッドレットを要請してダウンロードを受ける段階と、該ダウンロードされたミッドレットを登録して駆動させ、要請されたプッシュ連結を行う段階と、を行うことを特徴とし、上記目的を達成する。
【００２０】
前記プッシュ連結要請は、プッシュメッセージヘッダーの端子情報などにより確認されることを特徴としてもよい。
【００２１】
前記プッシュ連結要請があるかを確認する段階は、外部から連結要請があるかを確認する段階と、該確認結果、外部からの連結要請があると、該当の連結要請がジャバプッシュ技術に関するプッシュ連結要請であるかを判断する段階と、を行うことを特徴としてもよい。
【００２２】
前記該当のミッドレットは、前記連結要請に対して連結を行うジャバ応用プログラムであることを特徴としてもよい。
【００２３】
要請されたプッシュ連結を行うミッドレットが登録されているかを確認した結果、該当のミッドレットが登録されていると、ミッドレットを駆動させて、要請されたプッシュ連結を行う段階を更に行うことを特徴としてもよい。
【００２４】
前記プッシュ連結は、端末機間或いは端末機とサーバ間で行われることを特徴としてもよい。
【００２５】
本発明による動的ジャバプッシュ制御装置は、異なる端末機またはサーバと無線で通信する携帯端末機において、外部からの連結要請を行うミッドレットの動的なダウンロードを受けて、前記連結要請に対して連結を行うことにより、上記目的を達成する。
【００２６】
前記携帯端末機は、外部との通信を無線で連結するネットワーク連結部と、外部からのプッシュ連結要請がある場合、該当のミッドレットがプッシュ登録部にないと、プッシュ連結を要請した相手方に通信連結のためのミッドレットを要請してダウンロードを受けるプッシュ制御部と、該プッシュ制御部からミッドレットの移譲を受けることで、該ミッドレットを登録するプッシュ登録部と、多様なミッドレットを格納して駆動させるミッドレット部と、を含んで構成されることを特徴としてもよい。
【００２７】
前記プッシュ連結要請は、プッシュメッセージヘッダーの端子情報などにより確認されることを特徴としてもよい。
【００２８】
前記該当のミッドレットは、前記連結要請に対して連結を行うジャバ応用プログラムであることを特徴としてもよい。
【００２９】
前記プッシュ制御部は、前記連結要請に対して連結を行うミッドレットがプッシュ登録部に登録されている場合、プッシュ連結に対する全ての権限をプッシュ登録部に移譲することを特徴としてもよい。
【００３０】
前記プッシュ制御部は、プッシュ連結要請をした相手方からミッドレットのダウンロードを受けて、該ミッドレットを前記ミッドレット部に格納させ、前記プッシュ登録部に登録させることを特徴としてもよい。
【００３１】
前記ミッドレット部は、プッシュ登録部の制御によりミッドレットを駆動させることを特徴としてもよい。
【００３２】
前記プッシュ連結は、端末機間或いは端末機とサーバ間で行われることを特徴としてもよい。
【００３３】
本発明による方法は、異なる端末機またはサーバと無線で通信する携帯端末機において、外部からの連結要請を行うミッドレットの動的なダウンロードを受けて、前記連結要請に対して連結を行うことにより、上記目的を達成する。
【００３４】
前記ミッドレットは、連結を要請した相手方からダウンロードを受けることを特徴としてもよい。
【００３５】
前記連結要請は、ジャバプッシュ技術に関するプッシュ連結要請であることを特徴としてもよい。
【００３６】
本発明による方法は、ネットワーク連結部を通して外部からの連結要請を受信する段階と、プッシュ制御部により前記受信された連結要請がプッシュ連結要請であるかを判断する段階と、該判断結果、プッシュ連結要請であると、プッシュ制御部により該当のミッドレットがプッシュ登録部に登録されているかを確認する段階と、該確認結果、登録されていないと、連結を要請した相手方の端末或いはサーバに該当のミッドレットのダウンロードを要請する段階と、プッシュ制御部が相手方の端末或いはサーバから該当のミッドレットのダウンロードを受け、該ミッドレットをミッドレット部に登録し、プッシュ登録部に登録する段階と、プッシュ登録部が前記プッシュ制御部からプッシュ連結に対する権限の移譲を受け、ミッドレット部を制御して該当のミッドレットを駆動させることでプッシュ連結を行う段階と、を行うことを特徴とすることにより、上記目的を達成する。
【００３７】
前記プッシュ制御部は、プッシュメッセージヘッダーの端子情報などを確認することで、前記受信された連結要請がプッシュ連結要請であるかを判断することを特徴としてもよい。
【００３８】
前記該当のミッドレットは、前記連結要請に対して連結を行うジャバ応用プログラムであることを特徴としてもよい。
【発明の効果】
【００３９】
本発明に係る動的ジャバプッシュ制御装置及びその方法は、ジャバプッシュ技術を利用したサービス連結要請に対し、動的にミッドレットのダウンロードを受けて該当のサービスに即時に応答することで、Ｊ２ＭＥが設置された無線端末機間のジャバプッシュメカニズムを利用した多様なサービスを便宜的に活用し得るという効果がある。
【発明を実施するための最良の形態】
【００４０】
以下、本発明の実施の形態に対し、図面に基づいて説明する。
【００４１】
図１は本発明に係る動的ジャバプッシュ制御装置の構成を示した構成図で、相手方の端末からの連結要請に対して連結を行うミッドレットがない場合を示している。
【００４２】
図１に示したように、本発明に係るジャバプッシュ制御装置は、互いに異なる端末機１００、２００間の通信を無線で連結するネットワーク連結部１４０、２４０と、相手方からのプッシュ連結要請がある場合、該当のミッドレットがプッシュ登録部１２０にないと、プッシュ連結を要請した相手方のプッシュ登録部２２０に通信連結のためのミッドレットを要請してダウンロードを受けるプッシュ制御部１３０と、該プッシュ制御部１３０からミッドレットの移譲を受けることで、該ミッドレットを登録するプッシュ登録部１２０と、多様なミッドレットを記録及び格納して、前記プッシュ登録部１２０の制御により該当のミッドレットを駆動させるミッドレット部１１０と、を含んで構成されている。
【００４３】
前記プッシュ制御部１３０は、ネットワーク連結部１４０を通して相手方の端末機２００からのプッシュ連結要請を受信し、プッシュ登録部１２０に該当のミッドレット、即ち要請されたプッシュ連結を行うジャバ応用プログラムが登録されているかを確認する。
【００４４】
該確認結果、プッシュ登録部１２０に該当のミッドレットがあると、プッシュ制御部１３０は、プッシュ連結を行える環境が構成されたと判断して、プッシュ連結に対する全ての権限をプッシュ登録部１２０に移譲する。
【００４５】
プッシュ制御部１３０からプッシュ連結に対する制御権の移譲を受けたプッシュ登録部１２０は、従来のように、連結に必要なミッドレットを駆動させて、連結関連情報をミッドレットに伝達してプッシュ連結を行うことができる。
【００４６】
然し、図１に示したように、プッシュ登録部１２０に該当のミッドレットが登録されていないため、プッシュ制御部１３０は、プッシュ連結を要請した相手方の端末機２００に該当のミッドレットを要請する。ミッドレットの要請を受けた相手方の端末機２００のプッシュ制御部２３０は、要請されたミッドレットを用意して該当の端末機のプッシュ制御部１３０に伝送する。ミッドレットのダウンロードを受けたプッシュ制御部１３０は、ミッドレット部１１０に前記ダウンロードされたミッドレットを格納してプッシュ登録部１２０に登録する。
【００４７】
プッシュ連結に必要なミッドレットのダウンロード、格納及び登録が全て終了されると、前述したように、プッシュ制御部１３０は、プッシュ連結を行える環境が構成されたと判断して、プッシュ連結に対する全ての権限をプッシュ登録部１２０に移譲し、プッシュ連結に対する制御権の移譲を受けたプッシュ登録部１２０は、連結に必要なミッドレットを駆動させて、連結関連情報をミッドレットに伝達してプッシュ連結を行う。
【００４８】
図２は本発明に係る動的ジャバプッシュ制御方法の実現過程を示したフローチャートである。
【００４９】
図２に示したように、まず、プッシュ制御部１３０は、外部からの連結要請があるかを確認し（Ｓ１００）、該確認結果、外部からの連結要請があると、該当の連結要請がジャバプッシュ技術に関するプッシュ連結要請であるかを判断する（Ｓ１１０）。
【００５０】
例えば、連結要請としてプッシュメッセージを受ける場合、プッシュメッセージは、ヘッダーに端子情報を有するため、該端子情報を通してジャバメッセージであることを判断することができる。
【００５１】
このとき、前記端子情報は、上位応用プログラムに対してユニークな端子を与えることができ、ネットワーク連結部から特定の端子へのメッセージをジャバ関連メッセージとみなすことができる。
【００５２】
前記判断結果、プッシュ連結要請である場合、プッシュ制御部１３０は、プッシュ登録部１２０を検索して該当のミッドレット、即ち要請されたプッシュ連結を行うジャバ応用プログラムが登録されているかを確認する（Ｓ１２０）。
【００５３】
該確認結果、プッシュ登録部に該当のミッドレットが登録されていないと、プッシュ制御部１３０は、プッシュ連結を要請した相手方の携帯端末機２００に該当のミッドレットのダウンロードを要請する（Ｓ１３０）。
【００５４】
次いで、相手方の携帯端末機２００が該当のミッドレットを伝送すると、プッシュ制御部１３０は、前記ミッドレットのダウンロードを受け（Ｓ１４０）、ミッドレット部１１０に前記ダウンロードされたミッドレットを格納してプッシュ登録部１２０に登録する（Ｓ１５０）。
【００５５】
次いで、ミッドレットの登録が全て終了されると、プッシュ制御部１３０は、プッシュ連結に対する全ての権限をプッシュ登録部１２０に移譲し、プッシュ連結に対する全ての権限を受けたプッシュ登録部１２０は、ミッドレット部１１０を制御して連結に必要なミッドレットを駆動させる（Ｓ１６０）。
【００５６】
次いで、前記プッシュ登録部１２０の制御によりミッドレット部１１０から要請されたプッシュ連結を行えるミッドレットが駆動されると、プッシュ連結が行われて、相手方の端末機と通信を行うことができる（Ｓ１７０）。
【００５７】
このとき、前記ミッドレットは、ジャバプッシュ技術を利用した短文伝送、マルチメディア伝送及びインスタントメッセージ伝送などのサービスを提供するプログラムを全て含み、端末機間の通信の他に、端末機とサーバ間のプッシュ連結も支援する。
【００５８】
尚、本発明は、図面に示された実施形態に基づいて説明されたが、これは例示的なものに過ぎなく、本技術分野の通常の知識を有する者なら、これにより多様な変形及び均等な他の実施形態が可能であることを理解するはずである。従って、本発明の真の技術的保護範囲は、添付された特許請求の範囲の技術的思想により定められるべきである。
【００５９】
（要約）
必要なミッドレットの動的なダウンロードを受けて該当のサービスを行える動的ジャバプッシュ制御装置及びその方法を提供しようとする。互いに異なる端末機１００、２００間の通信を無線で連結するネットワーク連結部１４０、２４０と、外部からのプッシュ連結要請がある場合、該当のミッドレットがプッシュ登録部１２０にないと、プッシュ連結を要請した相手方に通信連結のためのミッドレットを要請してダウンロードを受けるプッシュ制御部１３０と、該プッシュ制御部１３０からミッドレットの移譲を受けることで、該ミッドレットを登録するプッシュ登録部１２０と、多様なミッドレットを格納して駆動させるミッドレット部１１０と、を含んで動的ジャバプッシュ制御装置を構成する。
【図面の簡単な説明】
【００６０】
【図１】本発明に係る動的ジャバプッシュ制御装置の構成を示した構成図である。
【図２】本発明に係る動的ジャバプッシュ制御方法の実現過程を示したフローチャートである。
【図３】従来のジャバプッシュメカニズムを示した構成図である。
【符号の説明】
【００６１】
１００、２００：携帯端末機
１１０、２１０：ミッドレット部
１２０、２２０：プッシュ登録部
１３０、２３０：プッシュ制御部
１４０、２４０：ネットワーク連結部
【図１】
2005025764.tif 000003
【図２】
2005025764.tif 000004
【図３】
2005025764.tif 000005